(57)【特許請求の範囲】
【請求項１】
一個のファンフレーム（１）、一個の駆動モジュール（２）および一個のファンホイール（４）を有する水平対流型ファンにおいて、ファンフレーム（１）には一個の第一封止部（１１）と一個の第二封止部（１２）が含まれ、第一封止部（１１）と第二封止部（１２）の間には一個の側壁部（１３）が設けられ、側壁部（１３）には一個の風入口（１３１）と一個の風出口（１３２）が設けられ、駆動モジュール（２）はファンフレーム（１）の内部に設けられ、かつ駆動モジュール（２）は第一封止部（１１）に結合され、ファンホイール（４）には一個のハブ（４１）と複数個の羽根（４２）が設けられ、ハブ（４１）は回動自在に駆動モジュール（２）に結合され、それぞれの羽根（４２）はハブ（４１）に連接され、ハブ（４１）とそれぞれの羽根（４２）にはそれぞれ第二封止部（１２）に向くように形成された一個の導流平面（４１２）と一個の上端縁（４２１）が含まれ、ハブ（４１）の軸方向（Ｌ）においてそれぞれの羽根（４２）の上端縁（４２１）はハブ（４１）の導流平面（４１２）より高くなるように形成され、ファンホイール（４）のハブ（４１）の外周縁には一個の円弧面（４５）が形成されることを特徴とする水平対流型ファン。
【請求項２】
ファンホイール（４）のそれぞれの羽根（４２）の上端縁（４２１）は協働して一個の水平参考面（Ｐ）を構成するように形成され、水平参考面（Ｐ）とハブ（４１）の導流平面（４１２）の間には一個の導流空間（４３）が含まれることを特徴とする請求項１に記載の水平対流型ファン。
【請求項３】
ファンホイール（４）のそれぞれの羽根（４２）の上端縁（４２１）とファンフレーム（１）の第一封止部（１１）の間には一個の第一距離（Ｄ１）が含まれ、ハブ（４１）の導流平面（４１２）とファンフレーム（１）の第一封止部（１１）の間には一個の第二距離（Ｄ２）が含まれ、第一距離（Ｄ１）は第二距離（Ｄ２）より大きくなるように形成されることを特徴とする請求項１に記載の水平対流型ファン。
【請求項４】
ファンホイール（４）のそれぞれの羽根（４２）の上端縁（４２１）からそれぞれの羽根（４２）がハブ（４１）の一端まで連接される延伸方向（Ｅ）はハブ（４１）の軸方向（Ｌ）と平行になるように形成されることを特徴とする請求項１、２または３に記載の水平対流型ファン。
【請求項５】
ファンホイール（４）のそれぞれの羽根（４２）の上端縁（４２１）からそれぞれの羽根（４２）がハブ（４１）の一端まで連接される延伸方向（Ｅ）はハブ（４１）の軸方向（Ｌ）と垂直になるように形成されることを特徴とする請求項１、２または３に記載の水平対流型ファン。
【請求項６】
ファンホイール（４）のそれぞれの羽根（４２）には一個の強化リング（４４）が結合されることを特徴とする請求項１、２または３に記載の水平対流型ファン。
【請求項７】
一個のファンフレーム（１）、一個の駆動モジュール（２）および一個のファンホイール（５）を有する水平対流型ファンにおいて、ファンフレーム（１）には一個の第一封止部（１１）と一個の第二封止部（１２）が含まれ、第一封止部（１１）と第二封止部（１２）の間には一個の側壁部（１３）が設けられ、側壁部（１３）には一個の風入口（１３１）と一個の風出口（１３２）が設けられ、駆動モジュール（２）はファンフレーム（１）の内部に設けられ、かつ駆動モジュール（２）は第一封止部（１１）に結合され、ファンホイール（５）には一個のハブ（５１）と複数個の羽根（５２）が設けられ、ハブ（５１）は回動自在に駆動モジュール（２）に結合され、それぞれの羽根（５２）はハブ（５１）に連接され、ハブ（５１）には第二封止部（１２）に向くように形成された一個の段階部（５１２）が含まれ、階段部（５１２）にはハブ（５１）の軸方向（Ｌ）において異なる高さを有する複数個の上面（５１２ａ）が含まれ、かつそれぞれの羽根（５２）にはそれぞれ第二封止部（１２）に向くように形成された一個の上端縁（５２１）が含まれ、ハブ（５１）の軸方向（Ｌ）においてそれぞれの羽根（５２）の上端縁（５２１）は第二封止部（１２）に最接近する一個の上面（５１２ａ）より高くなるように形成されることを特徴とする水平対流型ファン。
【請求項８】
ファンホイール（５）のそれぞれの羽根（５２）の上端縁（５２１）は協働して一個の水平参考面（Ｐ）を構成するように形成され、水平参考面（Ｐ）とハブ（５１）が第二封止部（１２）に最接近する一個の上面（５１２ａ）の間には一個の導流空間（５３）が含まれることを特徴とする請求項７に記載の水平対流型ファン。
【請求項９】
ファンホイール（５）のそれぞれの羽根（５２）の上端縁（５２１）とファンフレーム（１）の第一封止部（１１）の間には一個の第一距離（Ｄ１）が含まれ、ハブ（５１）が第二封止部（１２）に最接近する一個の上面（５１２ａ）とファンフレーム（１）の第一封止部（１１）の間には一個の第二距離（Ｄ２）が含まれ、第一距離（Ｄ１）は第二距離（Ｄ２）より大きくなるように形成されることを特徴とする請求項７に記載の水平対流型ファン。
【請求項１０】
ファンホイール（５）のそれぞれの羽根（５２）の上端縁（５２１）からそれぞれの羽根（５２）がハブ（５１）の一端まで連接される延伸方向（Ｅ）はハブ（５１）の軸方向（Ｌ）と平行になるように形成されることを特徴とする請求項７、８または９に記載の水平対流型ファン。
【請求項１１】
ファンホイール（５）のそれぞれの羽根（５２）には一個の強化リング（４４）が結合されることを特徴とする請求項７、８または９に記載の水平対流型ファン。
【請求項１２】
ファンホイール（５）のハブ（５１）の外周縁には一個の円弧面（４５）が形成されることを特徴とする請求項７、８または９に記載の水平対流型ファン。
【発明の詳細な説明】
【技術分野】
【０００１】
本発明は、水平対流型ファンに関するもので、特に水平方向から気流を導入したり導出したりすることができる水平対流型ファンに係るものである。
【背景技術】
【０００２】
従来のファンモジュールとしては、大別して軸流式ファンモジュールと遠心式ファンモジュールの二種類が含まれる。その中、軸流式ファンモジュールは軸方向においてそれぞれ相対する一個の軸方向風入口と一個の軸方向風出口を有し、上記軸方向風入口を経由して気流を導入し、それから上記軸方向風出口を経由して気流を導出することにより、放熱の効果を提供することができる。また、遠心式ファンモジュールでは軸方向において一個の軸方向風入口を有し、さらに半径方向において一個の径方向風出口を有し、上記軸方向風入口を経由して気流を導入し、それから上記径方向風出口を経由して側面方向に気流を導出することにより、同様に放熱の効果を提供することができる。
【０００３】
しかし、上記従来の軸流式放熱ファンでは、気流を導引して軸方向に対して放熱を行うことができるが、気流を導引して径方向に対して放熱を行うことはできない。そのため、軸流式放熱ファンを各種の電子製品に応用させる時、熱源（例えばパソコンのＣＰＵの上面）の上方に組み立てなければならないため、電子製品の軸方向の高さを低く抑えることができない。また、遠心式放熱ファンでは、径方向風出口から気流を導出することができるが、依然として軸方向風入口を利用して気流を導入しなければならないため、側辺の方向から気流を導入する電子製品（例えば携帯電話や携帯情報端など）には適しないという問題点があった。
【０００４】
そのため、市場ではファンホイールの径方向において、径方向で気流を導入したり導出したりすることができる従来の水平対流ファンが開発され、その水平対流ファンを側辺の方向から気流を導入する電子製品に応用している。例えば、図１０に掲示されている中華民国公告第５５３３２３号の「水平対流ファンの構造」において、水平対流ファン９には一個の枠座９１と一個のファンホイール９２が含まれる。枠座９１には少なくとも一個の風入口９１１と少なくとも一個の風出口９１２が含まれ、風入口９１１と風出口９１２の間には一個の水平気流通路９１３が設けられる。ファンホイール９２は水平気流通路９１３に設けられ、かつファンホイール９２には一個のハブ９２１が含まれ、ハブ９２１の外周面には複数個の羽根９２２が形成される。これにより、ファンホイール９２が回動される時、風入口９１１と風出口９１２の間に気体による圧力の差が生じられることにより、風入口９１１と風出口９１２の間には水平気流通路９１３に沿って対流が生じられて放熱を行なうことができるようにとしたものがある。
【先行技術文献】
【特許文献】
【０００５】
【特許文献１】中華民国公告第５５３３２３号
【発明の概要】
【発明が解決しようとする課題】
【０００６】
上記のような図１０に掲示される従来の水平対流ファンの構造においては、一般的に次のような問題点を有している。従来の水平対流ファン９のファンホイール９２が水平気流通路９１３に設けられる時、それぞれの羽根９２２はファンホイール９２の外周面に形成され、かつそれぞれの羽根９２２の上端縁はハブ９２１の上面とは平らになるように形成されるため、ファンホイール９２のそれぞれの羽根９２２が気流を導引して水平気流通路９１３に沿って対流が生じられる過程において、上記気流はハブ９２１の邪魔を受け易くなり、さらに乱流の現象が生じるため、従来の水平対流型ファン９の全体的な放熱効果が低くなるという問題点があった。このように、上記のような従来の水平対流ファンの構造はさらなる改良を必要とするものであった。
【０００７】
本発明はこのような問題点に鑑みて発明されたものであって、その主な目的とするところは、ファンホイールにおいて水平方向から気流を導入したり導出したりする過程で気流が邪魔されるのを有効に防止することができる水平対流型ファンを提供することである。
【課題を解決するための手段】
【０００８】
上記目的を達成するために、本発明による水平対流型ファンは、一個のファンフレーム、一個の駆動モジュールおよび一個のファンホイールを有する。ファンフレームには一個の第一封止部と一個の第二封止部が含まれ、第一封止部と第二封止部の間には一個の側壁部が設けられ、側壁部には一個の風入口と一個の風出口が設けられる。駆動モジュールはファンフレームの内部に設けられ、かつ駆動モジュールは第一封止部に結合される。ファンホイールには一個のハブと複数個の羽根が設けられ、ハブは回動自在に駆動モジュールに結合される。それぞれの羽根はハブに連接され、ハブとそれぞれの羽根にはそれぞれ第二封止部に向くように形成された一個の導流平面と一個の上端縁が含まれ、ハブの軸方向においてそれぞれの羽根の上端縁はハブの導流平面より高くなるように形成される。
【０００９】
また、ファンホイールのそれぞれの羽根の上端縁は共同で一個の水平参考面を構成するように形成され、水平参考面とハブの導流平面の間には一個の導流空間が含まれるように構成することもできる。また、ファンホイールのそれぞれの羽根の上端縁とファンフレームの第一封止部の間には一個の第一距離が含まれ、ハブの導流平面とファンフレームの第一封止部の間には一個の第二距離が含まれ、第一距離は第二距離より大きくなるように形成されることもできる。また、ファンホイールのそれぞれの羽根の上端縁からそれぞれの羽根がハブの一端まで連接される延伸方向はハブの軸方向とは平行になるように形成されることもできる。また、ファンホイールのそれぞれの羽根の上端縁からそれぞれの羽根がハブの一端まで連接される延伸方向はハブの軸方向とは垂直になるように形成されることもできる。また、ファンホイールのそれぞれの羽根には一個の強化リングが結合されることもできる。また、ファンホイールのハブの外周縁には一個の円弧面が形成されることもできる。
【００１０】
また、同様な技術思想に基づく本発明による別の水平対流型ファンは、一個のファンフレーム、一個の駆動モジュールおよび一個のファンホイールを有する。ファンフレームには一個の第一封止部と一個の第二封止部が含まれ、第一封止部と第二封止部の間には一個の側壁部が設けられ、側壁部には一個の風入口と一個の風出口が設けられる。駆動モジュールはファンフレームの内部に設けられ、かつ駆動モジュールは第一封止部に結合される。ファンホイールには一個のハブと複数個の羽根が設けられ、ハブは回動自在に駆動モジュールに結合され、それぞれの羽根はハブに連接される。ハブには第二封止部に向くように形成された一個の導流凸部が含まれ、導流凸部には第二封止部に最接近する少なくとも一個の最高点が含まれ、かつそれぞれの羽根にはそれぞれ第二封止部に向くように形成された一個の上端縁が含まれ、ハブの軸方向においてそれぞれの羽根の上端縁はハブの最高点より高くなるように形成される。
【００１１】
さらに、同様な技術思想に基づく本発明による別の水平対流型ファンは、一個のファンフレーム、一個の駆動モジュールおよび一個のファンホイールを有する。ファンフレームには一個の第一封止部と一個の第二封止部が含まれ、第一封止部と第二封止部の間には一個の側壁部が設けられ、側壁部には一個の風入口と一個の風出口が設けられる。駆動モジュールはファンフレームの内部に設けられ、かつ駆動モジュールは第一封止部に結合される。ファンホイールには一個のハブと複数個の羽根が設けられ、ハブは回動自在に駆動モジュールに結合され、それぞれの羽根はハブに連接される。ハブには第二封止部に向くように形成された一個の段階部が含まれ、階段部にはハブの軸方向において異なる高さを有する複数個の上面が含まれ、かつそれぞれの羽根にはそれぞれ第二封止部に向くように形成された一個の上端縁が含まれ、ハブの軸方向においてそれぞれの羽根の上端縁は第二封止部に最接近する一個の上面より高くなるように形成される。
【発明の効果】
【００１２】
本発明の水平対流型ファンによれば、ファンホイールにおいて水平方向から気流を導入したり導出したりする過程で気流が阻止されるのを有効に防止することができるという利点がある。
【図面の簡単な説明】
【００１３】
【図１】図１は、本発明の実施例１の水平対流型ファンの分解斜視図である。
【図２】図２は、本発明の実施例１の水平対流型ファンの平面説明図である。
【図３】図３は、本発明の実施例１の水平対流型ファンの組み立てられた状態の断面図である。
【図４】図４は、本発明の実施例１の水平対流型ファンの導流凸部の別の実施方式の組み立てられた状態の断面図である。
【図５】図５は、本発明の実施例２の水平対流型ファンの分解斜視図である。
【図６】図６は、本発明の実施例２の水平対流型ファンの平面説明図である。
【図７】図７は、本発明の実施例２の水平対流型ファンの組み立てられた状態の断面図である。
【図８】図８は、本発明の実施例３の水平対流型ファンの分解斜視図である。
【図９】図９は、本発明の実施例３の水平対流型ファンの組み立てられた状態の断面図である。
【図１０】図１０は、従来の水平対流型ファンの外観の斜視図である。
【発明を実施するための形態】
【００１４】
本発明の実施の形態について、以下、図面を参照して説明する。
【実施例１】
【００１５】
本発明において用いられる用語「ハブ」は、下記に示されるファンホイールにおいて羽根を除いた部位を指す。「ハブ」は上述した図１０に示されるハブ９２１、または伝統的な軸流式或いは遠心式ファンホイールのハブとは差異を有する。その中、本発明において述べられる「ハブ」には駆動モジュールを収容するための「ハブ部」および上記「ハブ部」と羽根の間に連接される「連接部」が含まれ、「連接部」はそれぞれの実施形態の図に示される盤体またはその他の同じ機能を有する構造からなることができる。
【００１６】
図１は本発明の実施例１の水平対流型ファンの分解斜視図、図２は本発明の実施例１の水平対流型ファンの平面説明図、図３は本発明の実施例１の水平対流型ファンの組み立てられた状態の断面図である。図１、２、３を参照すると、本発明の実施例１の水平対流型ファンには一個のファンフレーム１、一個の駆動モジュール２および一個のファンホイール３が含まれる。ファンフレーム１は気流の半径方向への流動を提供することができる框体の構造からなることができる。駆動モジュール２はファンフレーム１の内部に結合される。ファンホイール３が回動自在に駆動モジュール２に結合されることにより、駆動モジュール２はファンホイール３が回動するように駆動することができる。
【００１７】
ファンフレーム１は駆動モジュール２を収容するために、かつ気流を水平方向から導入したり導出したりすることができる中空框体の構造からなり、この中空框体の構造は各種の幾何学的形状の構造、例えば多角形、円形または楕円形などの形状からなることができ、実施例１においてファンフレーム１は直方体形状の框体からなる。
【００１８】
さらに詳しく言えば、ファンフレーム１には一個の第一封止部１１と一個の第二封止部１２が含まれる。第一封止部１１と第二封止部１２の間には一個の隙間が形成され、かつ第一封止部１１と第二封止部１２の間には一個の側壁部１３が設けられる。側壁部１３には一個の風入口１３１と一個の風出口１３２が設けられることにより、一個の水平対流式ファンフレームの構造が構成され、かつ風入口１３１と風出口１３２の設置位置と数量は種々の要求に応じて変えることができる。その中、第一封止部１１、第二封止部１２および側壁部１３は一体成形の構造からなることができる。実施例１において、第一封止部１１と側壁部１３は一体成形の構造からなり、かつ第二封止部１２は一個の蓋板からなり、上記蓋板を装脱自在に側壁部１３に結合できるようにすることにより、駆動モジュール２とファンホイール３をファンフレーム１の内部に取り付けることができる。また、実施例１において、風入口１３１と風出口１３２は駆動モジュール２の中心位置の開口方向に相対して９０°の角度になるように設計される（９０°より小さくなるように設計することもできる）。
【００１９】
駆動モジュール２はファンホイール３が回動するように駆動することができる各種のモジュールの構造からなる。実施例１において、駆動モジュール２の基本構造の構成には例えばコイルユニット、回路板、シリコン鋼片、軸座などの部材が含まれ、かつ駆動モジュール２は交番磁界の原理を利用してファンホイール３が回動するように駆動することができる構造（ファンホイール３に予め設けられる一個の永久磁石を合わせる。）からなることは、その技術分野に属するものにとって容易に理解できることであるのでここではその説明を割愛する。
【００２０】
ファンホイール３には一個のハブ３１と複数個の羽根３２が設けられ、ハブ３１は回動自在に駆動モジュール２に結合される。本実施例１において、ハブ３１は一個の中心軸３１１によって駆動モジュール２の一個の軸座２１と互いに枢接するように形成され、それぞれの羽根３２はハブ３１に連接される。その中、図３に示すように、ハブ３１には第二封止部１２に向くように形成された一個の導流凸部３１２が含まれる。導流凸部３１２には第二封止部１２に最接近する少なくとも一個の最高点Ｈが含まれ、かつそれぞれの羽根３２にはそれぞれ第二封止部１２に向くように形成された一個の上端縁３２１が含まれ、ハブ３１の軸方向Ｌにおいてそれぞれの羽根３２の上端縁３２１は、図示のように、ハブ３１の最高点Ｈより高くなるように形成される。
【００２１】
さらに詳しく言えば、図３に示すように、それぞれの羽根３２の上端縁３２１がハブ３１の最高点Ｈより高くなる技術的特徴によれば、それぞれの羽根３２の上端縁３２１は協働して一個の水平参考面Ｐを構成し、水平参考面Ｐとハブ３１の導流凸部３１２の間には一個の導流空間３３（導流空間３３はハブ３１の邪魔をしない。）が形成されることにより、ファンホイール３は導流空間３３によって気流をファンフレーム１の内部によりスムースに流通するように導引することができる。また、それぞれの羽根３２の上端縁３２１がハブ３１の最高点Ｈより高くなるという技術的概念によれば、それぞれの羽根３２の上端縁３２１とファンフレーム１の第一封止部１１の間には一個の第一距離Ｄ１が含まれ、ハブ３１の最高点Ｈとファンフレーム１の第一封止部１１の間には一個の第二距離Ｄ２が含まれる。第一距離Ｄ１が第二距離Ｄ２より大きくなるように形成することにより、導流空間３３には気流が流通するのに充分な空間を確保することができる。
【００２２】
また、図３に示すように、ハブ３１の導流凸部３１２は一個の環状周面３１２ａと一個の平面３１２ｂにより構成される。環状周面３１２ａは平面３１２ｂとハブ３１の導流凸部３１２以外の表面の間を連接するのに用いられる。最高点Ｈは平面３１２ｂに位置するように形成されるか、または、図４に示すように、ハブ３１の導流凸部３１２が単一の円弧面からなり、最高点Ｈが円弧面の中央に位置するように形成される円弧面の構造設計によって気流は導流凸部３１２をさらに通過し易くなる。
【００２３】
本発明の水平対流型ファンを実際に使用する時、駆動モジュール２から生じる交番磁界によってファンホイール３が回動するように駆動することができる。かくして、水平対流型ファンを各種の電子製品に取り付けることにより、ファンホイール３の羽根３２は風入口１３１から外部の気流を導入してファンフレーム１の内部に進入させ、風出口１３２を経由して再び外部の空間へ導出することができるため、各種の電子製品が作動時に生じる熱エネルギーに対して予定される放熱作用を提供することができる。
【００２４】
本発明の水平対流型ファンの主な技術的特徴は、風入口１３１と風出口１３２を経由して気流をファンホイール３の半径方向へ水平方向に導入したり導出したりすることができるため、水平対流型ファンを各種の電子製品に応用する時、熱エネルギーの上方位置に取り付ける必要がなく、そのため、電子製品の軸方向の高さを低く下げることができ、さらに水平対流型ファンによって風出口１３２の周囲に位置する熱エネルギーに対してよりよい補助的な放熱効果を提供することができる。さらに重要なことは、ファンホイール３によって気流を導引して風入口１３１と風出口１３２を経由してファンフレーム１に進出させる過程において、それぞれの羽根３２の上端縁３２１がハブ３１の導流凸部３１２より高く、それぞれの羽根３２の上端縁３２１とハブ３１の導流凸部３１２の間に導流空間３３が形成されることにより、羽根３２が風入口１３１から導引する気流はスムーズに導流空間３３を経由して風出口１３２まで導出されるため、ハブ３１によって気流の流動に対して邪魔されてしまう状態を効果的に低く抑えることができるとともに、乱流現象が生じるのを防止できることにより、さらに全体的な放熱効果を高めることができる。
【実施例２】
【００２５】
図５は本発明の実施例２の水平対流型ファンの分解斜視図、図６は本発明の実施例２の水平対流型ファンの平面説明図、図７は本発明の実施例２の水平対流型ファンの組み立てられた状態の断面図である。図５、６、７を参照すると、本発明の実施例２の水平対流型ファンにも実施例１と同様に一個のファンフレーム１、一個の駆動モジュール２および一個のファンホイール４が含まれる。その中、本発明の実施例２のファンフレーム１および駆動モジュール２は実施例１のファンフレーム１および駆動モジュール２とほぼ同じであるため、その同じ構造と特徴についての説明は割愛する。実施例２において、ファンフレーム１は円形の框体の構造からなり、さらに風入口１３１と風出口１３２は駆動モジュール２の中心位置の開口方向に相対して１８０°の角度に対向するように設計される（９０°から１８０°の角度の間となるように設計することもできる）。
【００２６】
本発明の実施例２のファンホイール４には一個のハブ４１と複数個の羽根４２が設けられ、ハブ４１は回動自在に駆動モジュール２に結合される。実施例２において、ハブ４１は一個の中心軸４１１によって駆動モジュール２の一個の軸座２１と互いに枢接するように形成され、それぞれの羽根４２はハブ４１に連接される。その中、図７に示すように、ハブ４１とそれぞれの羽根４２にはそれぞれ第二封止部１２に向くように形成された一個の導流平面４１２と一個の上端縁４２１が含まれ、ハブ４１の軸方向Ｌにおいてそれぞれの羽根４２の上端縁４２１は、図示のように、ハブ４１の導流平面４１２より高くなるように形成される。
【００２７】
さらに詳しく言えば、図７に示すように、それぞれの羽根４２の上端縁４２１がハブ４１の導流平面４１２より高くなる技術的特徴により、それぞれの羽根４２の上端縁４２１は協働して一個の水平参考面Ｐを構成し、水平参考面Ｐとハブ４１の導流平面４１２の間には一個の導流空間３３が形成される。また、それぞれの羽根４２の上端縁４２１がハブ４１の導流平面４１２より高くなるという技術的概念によれば、それぞれの羽根４２の上端縁４２１とファンフレーム１の第一封止部１１の間には一個の第一距離Ｄ１が含まれ、ハブ４１の導流平面４１２とファンフレーム１の第一封止部１１の間には一個の第二距離Ｄ２が含まれる。第一距離Ｄ１は第二距離Ｄ２より大きくなるように形成されることにより、導流空間４３には気流が流通するのに充分な空間を確保することができる。
【００２８】
本発明の実施例２の水平対流型ファンの主な技術的特徴は、ファンホイール４によって気流を導引して風入口１３１と風出口１３２を経由してファンフレーム１に進出させる過程において、それぞれの羽根４２の上端縁４２１がハブ４１の導流平面４１２より高く、それにより羽根４２が風入口１３１から導引される気流はスムースに風出口１３２まで導出されるため、ハブ４１によって気流の流動を邪魔してしまう状態を有効に低く抑えることができるとともに、乱流の現象が生じるのをまた防止することができ、さらに全体的な放熱効果を高めることができる。さらに重要なことは、実施例１と比較すると、本発明の実施例２のハブ４１に第二封止部１２に向くように形成される導流平面４１２は、完全な平面構造（いかなる突出した部位も有しない）に設計されることにより、気流の流動に対して邪魔となる状態をさらに有効に低く抑えることができるため、より一層良好な放熱効果を達成することができる。
【実施例３】
【００２９】
図８は本発明の実施例３の水平対流型ファンの分解斜視図であり、図９は本発明の実施例３の水平対流型ファンの組み立てられた状態の断面図である。図８、９を参照すると、本発明の実施例３の水平対流型ファンにも同様に一個のファンフレーム１、一個の駆動モジュール２および一個のファンホイール５が含まれる。その中、本発明の実施例３のファンフレーム１および駆動モジュール２は実施例１のファンフレーム１および駆動モジュール２と大体同じ構成であるため、その構造と特徴についての説明は割愛する。
【００３０】
本発明の実施例３のファンホイール５には一個のハブ５１と複数個の羽根５２が設けられ、ハブ５１は回動自在に駆動モジュール２に結合される。実施例３において、ハブ５１は一個の中心軸５１１によって駆動モジュール２の一個の軸座２１と互いに枢接するように形成され、それぞれの羽根５２はハブ５１に連接される。その中、図９に示すように、ハブ５１には第二封止部１２に向くように形成された一個の階段部５１２が含まれる。階段部５１２はハブ５１の軸方向Ｌにおいて異なる高さを有する複数個の上面５１２ａが含まれ、かつそれぞれの羽根５２にはそれぞれ第二封止部１２に向くように形成された一個の上端縁５２１が含まれる。ハブ５１の軸方向Ｌにおいてそれぞれの羽根５２の上端縁５２１は、図示のように、第二封止部１２に最接近する一個の上面５１２ａより高くなるように形成される。
【００３１】
さらに詳しく言えば、図９に示すように、それぞれの羽根５２の上端縁５２１はハブ５１が第二封止部１２に最接近する一個の上面５１２ａより高くなるという技術的特徴によれば、それぞれの羽根５２の上端縁５２１は協働して一個の水平参考面Ｐを構成し、水平参考面Ｐとハブ５１が第二封止部１２に最接近する一個の上面５１２ａの間には一個の導流空間５３が形成される。また、それぞれの羽根５２の上端縁５２１はハブ５１が第二封止部１２に最接近する一個の上面５１２ａより高くなるという技術的概念によれば、それぞれの羽根５２の上端縁５２１とファンフレーム１の第一封止部１１の間には一個の第一距離Ｄ１が含まれ、ハブ５１が第二封止部１２に最接近する一個の上面５１２ａとファンフレーム１の第一封止部１１の間には一個の第二距離Ｄ２が含まれる。第一距離Ｄ１は第二距離Ｄ２より大きくなるように形成されることにより、導流空間５３に気流が流通するのに充分な空間を確保することができる。
【００３２】
本発明の実施例３の水平対流型ファンの主な技術的特徴は、ファンホイール５によって気流を導引して風入口１３１と風出口１３２を経由してファンフレーム１に進出させる過程において、それぞれの羽根５２の上端縁５２１がハブ５１が第二封止部１２に最接近する一個の上面５１２ａより高く、それにより、羽根５２が風入口１３１から導引される気流はスムーズに風出口１３２まで導出されるため、ハブ５１によって気流の流動を邪魔してしまう状態を有効に低く抑えることができるとともに、乱流現象が生じるのを防止することができ、さらに全体的な放熱効果を高めることができる。さらに重要なことは、実施例１と比較すると、本発明の実施例３のハブ５１の階段部５１２の構造設計により、気流が階段部５１２を通過する過程において、階段部５１２の側面が気流に対して生じる乱流現象の発生を有効に低く抑えることができる。
【００３３】
本発明の水平対流型ファンは上述した技術概念に基づき、実施例１、実施例２または実施例３においては以下の複数の実施形態および構造設計が含まれることにより、さらなる完全な効果を提供することができる。
【００３４】
実施例２の水平対流型ファンを例に挙げて説明すると、図５に示すように、ファンホイール４のそれぞれの羽根４２に一個の強化リング４４を結合することにより、それぞれの羽根４２の構造の強度を有効に高めることができる。
【００３５】
また実施例２の水平対流型ファンを例に挙げて説明すると、図５、７に示すように、ファンホイール４のハブ４１の外周縁に一個の円弧面４５を形成することにより、よりよい導引効果を提供することができる。
【００３６】
さらに実施例２の水平対流型ファンを例に挙げて説明すると、図７に示すように、ファンホイール４のそれぞれの羽根４２の上端縁４２１からそれぞれの羽根４２がハブ４１の一端まで連接される延伸方向Ｅが、好ましくは、ハブ４１の軸方向Ｌと平行になるように形成されることにより、ファンホイール４のそれぞれの羽根４２は水平方向においてさらに効果的に風入口１３１と風出口１３２を経由して気流を導入したり導出したりすることができる。
【００３７】
また、実施例２の水平対流型ファンを例に挙げて説明すると、図７に示すように、ファンホイール４のそれぞれの羽根４２の上端縁４２１からそれぞれの羽根４２がハブ４１の一端まで連接される延伸方向Ｅが、好ましくは、ハブ４１の軸方向Ｌとは垂直になるように形成されることにより、同様にファンホイール４のそれぞれの羽根４２は水平方向においてさらに効果的に風入口１３１と風出口１３２を経由して気流を導入したり導出したりすることができる。
【００３８】
上述のように、ファンホイール３、４、５によって気流を導引して風入口１３１と風出口１３２を経由してファンフレーム１の内部に進出する過程において、ファンフレーム１の第一封止部１１と第二封止部１２によって構成される水平対流式ファンフレームの構造により、さらにファンホイール３、４、５のそれぞれの羽根３２、４２、５２がハブ３１、４１、５１に相対して高低差の設計を有することにより、ファンホイール３、４、５において半径方向から気流を導入したり導出したりする過程において、気流がハブ３１、４１、５１によって邪魔されてしまうのを有効に防止することができるため、乱流の現象が生じるのを防止するとともに、さらに放熱効果を高めることができる。
【００３９】
本発明は、その精神と必須の特徴から逸脱することなく他のやり方で実施することができる。従って、本明細書に記載した好ましい実施例は例示的なものであり、限定を意図するものではない。
【符号の説明】
【００４０】
１    ファンフレーム
１１    第一封止部
１２    第二封止部
１３    側壁部
１３１    風入口
１３２    風出口
２    駆動モジュール
２１    軸座
３    ファンホイール
３１    ハブ
３１１    中心軸
３１２    導流凸部
３１２ａ  環状周面
３１２ｂ  平面
３２    羽根
３２１    上端縁
３３    導流空間
４    ファンホイール
４１    ハブ
４１１    中心軸
４１２    導流平面
４２    羽根
４２１    上端縁
４３    導流空間
４４    強化リング
４５    円弧面
５    ファンホイール
５１    ハブ
５１１    中心軸
５１２    階段部
５１２ａ  上面
５２    羽根
５２１    上端縁
５３    導流空間
９    水平対流型ファン
９１    枠座
９１１    風入口
９１２    風出口
９１３    水平気流通路
９２    ファンホイール
９２１    ハブ
９２２    羽根
Ｄ１    第一距離
Ｄ２    第二距離
Ｅ    延伸方向
Ｈ    最高点
Ｌ    軸方向
Ｐ    水平参考面
【図１】
0005492165.tif 000002
【図２】
0005492165.tif 000003
【図３】
0005492165.tif 000004
【図４】
0005492165.tif 000005
【図５】
0005492165.tif 000006
【図６】
0005492165.tif 000007
【図７】
0005492165.tif 000008
【図８】
0005492165.tif 000009
【図９】
0005492165.tif 000010
【図１０】
0005492165.tif 000011